(57)【特許請求の範囲】
【請求項１】
流入管と、流出管と、前記流入管と前記流出管との間に介在してインクを濾過するフィルタメディアと、を有したフィルタ装置と、
前記流出管が挿入された第１の端部と、前記第１の端部の反対側に位置する第２の端部とを有したチューブと、
前記チューブの第２の端部にそれぞれ接続された複数の圧力室と、前記圧力室にそれぞれ開口した複数のオリフィスとを有したヘッド本体と、
環状に形成されて前記チューブの第１の端部を締め付ける帯状部と、前記帯状部の一方の端部に設けられた第１の片部と、前記帯状部の他方の端部に設けられた第２の片部と、を有し、前記第１の片部と前記第２の片部とを互いに近づけたときに前記帯状部が前記第１の端部を締め付ける力が緩まるバンドと、
前記バンドの第１の片部と帯状部とに亘って設けられ、前記第１の片部と前記第２の片部とを互いに近づけたときに破壊される履歴判別具と、
を具備したことを特徴とするインクジェットヘッド。
【請求項２】
前記履歴判別具は、前記第１の片部に固定された第１の貼付部と、前記帯状部に固定された第２の貼付部と、前記第１の貼付部と前記第２の貼付部との間に設けられて前記第１の貼付部よりも破壊されやすく前記第２の貼付部よりも破壊されやすい脆弱部とを有したことを特徴とする請求項１に記載のインクジェットヘッド。
【請求項３】
前記履歴判別具は粘着テープであり、
前記履歴判別具の前記脆弱部は、前記第１の貼付部よりも幅が狭く、前記第２の貼付部よりも幅が狭いことを特徴とする請求項２に記載のインクジェットヘッド。
【請求項４】
前記履歴判別具は、前記第１の片部と前記帯状部とに亘って塗布された接着剤であることを特徴とする請求項１に記載のインクジェットヘッド。
【請求項５】
流入管と、流出管と、前記流入管と前記流出管との間に介在してインクを濾過するフィルタメディアと、を有したフィルタ装置と、
端部を有したチューブと、
環状に形成された帯状部と、前記帯状部の一方の端部に設けられた第１の片部と、前記帯状部の他方の端部に設けられた第２の片部と、を有し、前記第１の片部と前記第２の片部とを互いに近づけたときに前記帯状部の内径が広がるバンドと、
を備えたインクジェットヘッドのフィルタ装置の固定方法であって、
前記チューブの端部に、前記フィルタ装置の流出管を挿入し、
前記流出管が挿入された前記チューブの端部に前記バンドの帯状部を嵌めることで、前期帯状部で前記チューブを締め付け、
前記第１の片部と前記第２の片部とが互いに近づけられたときに破壊されるように、前記バンドの第１の片部と帯状部とに亘って履歴判別具を取り付ける
ことを特徴とするインクジェットヘッドのフィルタ装置の固定方法。
【請求項６】
前記履歴判別具は、前記第１の片部に固定された第１の貼付部と、前記帯状部に固定された第２の貼付部と、前記第１の貼付部と前記第２の貼付部との間に設けられて前記第１の貼付部よりも破壊されやすく前記第２の貼付部よりも破壊されやすい脆弱部とを有したことを特徴とする請求項５に記載のインクジェットヘッドのフィルタ装置の固定方法。
【請求項７】
前記履歴判別具は粘着テープであり、
前記履歴判別具の前記脆弱部は、前記第１の貼付部よりも幅が狭く、前記第２の貼付部よりも幅が狭いことを特徴とする請求項６に記載のインクジェットヘッドのフィルタ装置の固定方法。
【請求項８】
前記履歴判別具は、前記第１の片部と前記帯状部とに亘って塗布された接着剤であることを特徴とする請求項５に記載のインクジェットヘッドのフィルタ装置の固定方法。
【発明の詳細な説明】
【技術分野】
【０００１】
本発明の実施形態は、インクジェットヘッドおよびインクジェットヘッドのフィルタ装置の固定方法に関する。
【背景技術】
【０００２】
インクジェットプリンタのインクジェットヘッドは、インクを濾過するためのフィルタ装置を備える。このフィルタ装置は、インクを吐出する前記インクジェットヘッドのヘッド本体と、インクを貯蔵するインクタンクとの間に介在する。インクタンクのインクは、フィルタ装置の内部に流入し、このフィルタ装置の内部に配置された例えばニッケル薄膜のようなフィルタメディアによって濾過される。
【０００３】
フィルタ装置とヘッド本体とは、チューブによって接続される。フィルタ装置は、フィルタ室の下流側に開口する流出管を有する。この流出管が、チューブの一方の端部に挿入される。
【０００４】
フィルタ装置の流出管がチューブから外れると、塵埃がチューブやフィルタ装置に侵入するおそれがある。塵埃が侵入したインクジェットヘッドを使用すると、ヘッド本体のオリフィスに目詰まりが生じる。
【０００５】
オリフィスの目詰まりを防止するため、流出管が挿入されたチューブの一方の端部は、バンドによって締め付けられる。これにより、流出管がチューブから外れることが抑制される。
【先行技術文献】
【特許文献】
【０００６】
【特許文献１】特開２００５−２３８６８４号公報
【発明の概要】
【発明が解決しようとする課題】
【０００７】
上述のバンドがチューブを締め付ける力が緩められ、フィルタ装置の流出管がチューブから外れると、インクジェットヘッドの品質保証が難しくなる。このため、バンドがチューブを締め付ける力が緩められた否かを判別することが求められる。
【０００８】
本発明の目的は、バンドが緩められたか否かが判別できるインクジェットヘッドおよびインクジェットヘッドのフィルタ装置の固定方法を提供することである。
【課題を解決するための手段】
【０００９】
一つの実施の形態に係るインクジェットヘッドは、フィルタ装置と、チューブと、ヘッド本体と、バンドと、履歴判別具とを備える。前記フィルタ装置は、流入管と、流出管と、前記流入管と前記流出管との間に介在してインクを濾過するフィルタメディアとを有する。前記チューブは、前記流出管が挿入された第１の端部と、前記第１の端部の反対側に位置する第２の端部とを有する。前記ヘッド本体は、前記チューブの第２の端部にそれぞれ接続された複数の圧力室と、前記圧力室にそれぞれ開口した複数のオリフィスとを有する。前記バンドは、環状に形成されて前記チューブの第１の端部を締め付ける帯状部と、前記帯状部の一方の端部に設けられた第１の片部と、前記帯状部の他方の端部に設けられた第２の片部と、を有する。前記第１の片部と前記第２の片部とを互いに近づけたときに前記帯状部が前記第１の端部を締め付ける力が緩まる。前記履歴判別具は、前記バンドの第１の片部と帯状部とに亘って設けられ、前記第１の片部と前記第２の片部とを互いに近づけたときに破壊される。
【図面の簡単な説明】
【００１０】
【図１】第１の実施の形態に係るインクジェットプリンタの構成の一部を概略的に示す正面図。
【図２】第１の実施形態のフィルタ装置およびチューブを示す断面図。
【図３】第１の実施形態のバンドを示す斜視図。
【図４】第１の実施形態のバンドを別の方向から示す斜視図。
【図５】第１の実施形態のチューブ、バンド、および流出管を示す断面図。
【図６】第１の実施形態の粘着テープが破れた状態のバンドを示す断面図。
【図７】第２の実施の形態に係るバンドを示す斜視図。
【図８】第２の実施形態の接着剤が剥がれた状態のバンドを示す断面図。
【発明を実施するための形態】
【００１１】
以下に、第１の実施の形態について、図１から図６を参照して説明する。図１は、インクジェットプリンタ１の構成の一部を概略的に示す正面図である。図１に示すように、インクジェットプリンタ１は、インクジェットヘッド２と、インクタンク３とを備えている。インクジェットヘッド２とインクタンク３とは、配管４によって接続されている。図１において、配管４は一点鎖線で示される。
【００１２】
インクジェットヘッド２は、いわゆるエッジシュータ型のインクジェットヘッドである。インクジェットヘッド２は、ヘッド本体１１と、構造部１２と、フィルタ装置１３と、チューブ１４と、バンド１５とを備えている。図１において、ヘッド本体１１は、一部切り欠いて示される。
【００１３】
ヘッド本体１１は、アクチュエータ２１と、オリフィスプレート２２と、蓋部材２３とを有している。オリフィスプレート２２と蓋部材２３とは、例えば接着剤によってアクチュエータ２１にそれぞれ貼り付けられている。
【００１４】
アクチュエータ２１は、例えばチタン酸ジルコン酸鉛（ＰＺＴ）によって形成された板状の二つの圧電体によって形成されている。前記二つの圧電体は、分極方向がその厚さ方向に互いに逆向きになるように貼り合わされている。
【００１５】
アクチュエータ２１は、複数の圧力室２５を有している。複数の圧力室２５は、アクチュエータ２１に設けられた複数の溝である。圧力室２５は、アクチュエータ２１の長手方向に並んで設けられている。圧力室２５は、オリフィスプレート２２と蓋部材２３とによって、それぞれ塞がれている。
【００１６】
圧力室２５に、電極がそれぞれ形成されている。前記電極は、例えば無電解メッキによって形成されたニッケル薄膜によって構成されている。アクチュエータ２１は、前記電極に駆動電圧が印加されることによりシェアモード変形する。
【００１７】
オリフィスプレート２２は、ポリイミド製の矩形のフィルムによって形成されている。なお、オリフィスプレート２２はこれに限らず、レーザ加工が可能な他の樹脂材料によって形成されても良い。
【００１８】
オリフィスプレート２２に、複数のオリフィス２６が設けられている。オリフィス２６は、複数の圧力室２５に対応してオリフィスプレート２２の長手方向に並んでいる。オリフィス２６は、複数の圧力室２５にそれぞれ開口している。なお図１において、圧力室２５およびオリフィス２６は便宜上、実際よりも大きく描かれている。
【００１９】
蓋部材２３は、接続管２７を有している。接続管２７は、蓋部材２３の内部に設けられた分岐流路に通じている。前記分岐流路は、接続管２７と複数の圧力室２５とをそれぞれ接続している。
【００２０】
構造部１２は、例えば接着剤によってヘッド本体１１に取り付けられている。構造部１２は、例えばヘッド制御部３１と、湯路装置３２とを有している。
【００２１】
ヘッド制御部３１は、回路基板、駆動ＩＣ、端子、およびカバーを有している。前記駆動ＩＣおよび前記端子は、前記回路基板に実装されている。前記駆動ＩＣは、アクチュエータ２１の前記電極に電気的に接続されている。前記駆動ＩＣは、前記電極に駆動電圧を印加する。前記端子に、インクジェットプリンタ１の制御部に接続されたケーブルが接続される。前記カバーは、前記回路基板、前記駆動ＩＣ、および前記端子を収容している。
【００２２】
湯路装置３２は、例えばセラミックスによって形成され、ヘッド制御部３１に取り付けられている。湯路装置３２は、ヘッド本体１１に沿って温水が流れる流路を有している。前記流路を流れる温水がヘッド本体１１を温めることで、ヘッド本体１１の性能が安定する。
【００２３】
図２は、フィルタ装置１３およびチューブ１４を示す断面図である。図２に示すように、フィルタ装置１３は、第１のホルダ部材３４と、第２のホルダ部材３５と、パッキン３６と、フィルタメディア３７とを有している。フィルタ装置１３の内部に、フィルタ室３８が形成されている。
【００２４】
第１のホルダ部材３４は、流入管４１を有している。流入管４１は、フィルタ室３８に開口するとともに、配管４に接続されている。第２のホルダ部材３５は、流出管４２を有している。流出管４２は、フィルタ室３８に開口している。第１のホルダ部材３４は、第２のホルダ部材３５に例えば溶着によって固定される。フィルタ室３８は、第１のホルダ部材３４と第２のホルダ部材３５とによって構成されている。
【００２５】
パッキン３６は、例えば耐インク性を有する合成ゴムによって、枠状に形成されている。パッキン３６は、第２のホルダ部材３５に設けられた凹部に嵌められている。
【００２６】
フィルタメディア３７は、例えば電鋳によって形成されたニッケル薄膜によって形成されている。なお、フィルタメディア３７はこれに限らず、例えば他の種類の金属膜や、不織布によって形成されても良い。フィルタメディア３７は、第１のホルダ部材３４とパッキン３６とによって挟持されている。
【００２７】
フィルタメディア３７は、フィルタ室３８を上流側３８ａと下流側３８ｂとに仕切っている。流入管４１は、フィルタ室３８の上流側３８ａに開口している。流出管４２は、フィルタ室３８の下流側３８ｂに開口している。すなわち、フィルタメディア３７は流入管４１と流出管４２との間に介在する。
【００２８】
フィルタメディア３７に、複数の孔が設けられている。インクタンク３に貯蔵されたインクの粒子径は、前記孔の直径よりも小さい。このため、インクは前記孔を通過できる。一方、インクに混ざっている除去されるべき不純物は、フィルタメディア３７に捕獲されて取り除かれる。このように、フィルタメディア３７を通ったインクは濾過される。
【００２９】
図１に示すように、チューブ１４は、第１の端部４５と、第２の端部４６とを有している。第２の端部４６は、第１の端部４５の反対側に位置している。チューブ１４は、可撓性を有する例えば耐インク性の合成樹脂によって形成されている。
【００３０】
第１の端部４５に、フィルタ装置１３の流出管４２が挿入されている。第１の端部４５の内径は、流出管４２の外径よりも僅かに小さい。このため、第１の端部４５の内周面と、流出管４２の外周面とは互いに密着している。
【００３１】
第２の端部４６に、ヘッド本体１１の接続管２７が挿入されている。すなわち、第２の端部４６は、蓋部材２３の前記分岐流路を介して、複数の圧力室２５に接続されている。第２の端部４６の内径は、接続管２７の外径よりも僅かに小さい。このため、第２の端部４６の内周面と、接続管２７の外周面とは互いに密着している。
【００３２】
以上のようにインクジェットプリンタ１が構成されることで、インクタンク３に貯蔵されたインクは、配管４とフィルタ装置１３の流入管４１とを通って、フィルタ室３８の上流側３８ａに流入する。インクは、フィルタメディア３７によって濾過される。濾過されたインクは、流出管４２とチューブ１４と接続管２７とを通って、各圧力室２５に供給される。圧力室２５のインクは、駆動電圧を印加および解放されたアクチュエータ２１によって加圧され、オリフィス２６から吐出される。
【００３３】
図３は、バンド１５を示す斜視図である。図４は、バンド１５を別の方向から示す斜視図である。図３および図４において、チューブ１４は二点鎖線で示されている。図３に示すように、バンド１５は、帯状部５１と、大片部５２と、小片部５３とを有している。本実施形態において、大片部５２は第１の片部の一例である。本実施形態において、小片部５３は第２の片部の一例である。帯状部５１と大片部５２と小片部５３とは、例えば金属によって一体に成形されている。
【００３４】
帯状部５１は、矩形状の部材を環状に曲げることで形成されている。図２に示すように、帯状部５１は、流出管４２が挿入されたチューブ１４の第１の端部４５に嵌められている。帯状部５１の内径は、流出管４２が挿入されたチューブ１４の第１の端部４５の外径よりも小さい。このため、帯状部５１は、流出管４２が挿入されたチューブ１４の第１の端部４５を締め付ける。
【００３５】
図３に示すように、大片部５２は、帯状部５１の一方の端部５１ａに設けられている。大片部５２は、帯状部５１の一方の端部５１ａにおいて、帯状部５１の外周面５１ｃから突出している。大片部５２は、環状の帯状部５１の径方向に突出している。
【００３６】
帯状部５１の一方の端部５１ａから大片部５２に亘って、スリット５５が設けられている。スリット５５は、帯状部５１の幅方向の中央部に位置し、帯状部５１の長手方向に延びる矩形状の孔である。
【００３７】
帯状部５１の他方の端部５１ｂに、幅細部５６が設けられている。幅細部５６の幅は、帯状部５１の幅よりも狭く、スリット５５の幅よりも狭い。幅細部５６の一部は、スリット５５に移動可能に収まっている。
【００３８】
小片部５３は、帯状部５１の他方の端部５１ｂに設けられている。小片部５３は、幅細部５６の端部において、帯状部５１の外周面５１ｃから突出している。小片部５３は、環状の帯状部５１の径方向に突出している。
【００３９】
図５は、チューブ１４、バンド１５、および流出管４２を示す断面図である。図５の矢印で示すように大片部５２と小片部５３とを互いに近づけると、環状の帯状部５１の内径が広がる。言い換えると、大片部５２と小片部５３とを互いに近づけたとき、帯状部５１がチューブ１４の第１の端部４５を締め付ける力が緩まる。互いに近づけられた大片部５２と小片部５３とは、弾性によって元の位置に戻ろうとする。
【００４０】
帯状部５１が、流出管４２が挿入されたチューブ１４の第１の端部４５に嵌められると、帯状部５１の内径が拡げられる。このため、大片部５２と小片部５３との間の距離は、帯状部５１がチューブ１４から外された状態よりも近い。帯状部５１がチューブ１４の第１の端部４５に嵌められた状態において、大片部５２と小片部５３との角度は、例えば６０°である。帯状部５１がチューブ１４から外された状態において、大片部５２と小片部５３との間の角度は、例えば７５°である。
【００４１】
図４に示すように、バンド１５の帯状部５１と大片部５２とに亘って、粘着テープ６０が設けられている。粘着テープ６０は、履歴判別具の一例である。粘着テープ６０は、例えば耐インク性を有する矩形状のビニルテープである。なお、粘着テープ６０は他の種類のテープでも良い。
【００４２】
粘着テープ６０は、第１の貼付部６１と、第２の貼付部６２と、脆弱部６３とを有している。第１の貼付部６１は、粘着テープ６０の一方の端部であり、大片部５２に貼り付けられている。第２の貼付部６２は、粘着テープ６０の他方の端部であり、帯状部５１に貼り付けられている。
【００４３】
脆弱部６３は、第１の貼付部６１と第２の貼付部６２との間に設けられている。脆弱部６３は、粘着テープ６０の他の部分よりも幅が狭く形成されている。すなわち、脆弱部６３は、第１の貼付部６１よりも幅が狭く、第２の貼付部６２よりも幅が狭い。脆弱部６３は、粘着テープ６０に設けられた一対の切込み６４によって形成されている。
【００４４】
脆弱部６３は、第１の貼付部６１よりも幅が狭いため、第１の貼付部６１よりも破れやすい。また、脆弱部６３は、第２の貼付部６２よりも幅が狭いため、第２の貼付部６２よりも破れやすい。破れることは、破壊されることの一例である。脆弱部６３が破れるために必要な力は、第１の貼付部６１の接着強度よりも小さく、第２の貼付部６２の接着強度よりも小さい。
【００４５】
なお、脆弱部６３は、一対の切込み６４によって形成されたものに限らない。例えば、粘着テープ６０に設けられたミシン目によって、第１の貼付部６１より破れやすく第２の貼付部６２よりも破れやすい脆弱部６３が形成されても良い。
【００４６】
図６は、脆弱部６３が破れた状態のバンド１５を示す断面図である。図５の矢印で示すように大片部５２と小片部５３とを互いに近づけると、大片部５２に貼り付けられた第１の貼付部６１と、帯状部５１に貼り付けられた第２の貼付部６２とによって、脆弱部６３が引っ張られる。図６に示すように、引っ張られた脆弱部６３は破れる。
【００４７】
このように、粘着テープ６０がバンド１５に貼り付けられた後、大片部５２と小片部５３とを互いに近づけると、脆弱部６３が破れる。したがって、帯状部５１がチューブ１４の第１の端部４５を締め付ける力が緩められたか否かが判別可能になる。
【００４８】
以下に、インクジェットヘッド２の製造工程の一部である、フィルタ装置１３の固定方法について例示する。なお、以下の工程は、例えばクリーンルームのような、塵埃の量を少なくするように管理された環境において行なう。
【００４９】
まず、例えばペンチのような工具によってバンド１５の大片部５２と小片部５３とを互いに近づけることで、環状の帯状部５１の内径を拡げる。内径が拡げられた帯状部５１を、チューブ１４に嵌める。帯状部５１は、チューブ１４の第１の端部４５と第２の端部４６との間に移動させる。
【００５０】
次に、チューブ１４の第１の端部４５に、フィルタ装置１３の流出管４２を挿入する。第１の端部４５の内径が流出管４２の外径よりも僅かに小さいため、第１の端部４５は流出管４２によって拡張される。
【００５１】
次に、帯状部５１の内径が拡げられた状態のバンド１５を移動させ、流出管４２が挿入されたチューブ１４の第１の端部４５に帯状部５１を嵌める。大片部５２と小片部５３とを互いに近づけていた力を解放すると、大片部５２と小片部５３とは、弾性によって元の位置に戻ろうとする。これにより、帯状部５１の内径が縮まり、帯状部５１は、流出管４２が挿入されたチューブ１４の第１の端部４５を締め付ける。
【００５２】
次に、バンド１５の大片部５２に、粘着テープ６０の第１の貼付部６１を貼り付ける。さらに、帯状部５１に、第２の貼付部６２を貼り付ける。粘着テープ６０は、弛みが少なく張った状態で、大片部５２と帯状部５１とに亘って取り付けられる。このため、もし粘着テープ６０が貼り付けられた後に大片部５２と小片部５３とが互いに近づけられると、脆弱部６３が破れることになる。以上より、フィルタ装置１３が固定される。
【００５３】
前記構成のインクジェットプリンタ１によれば、バンド１５の帯状部５１が、フィルタ装置１３の流出管４２が挿入されたチューブ１４の第１の端部４５を締め付けている。このため、フィルタ装置１３がチューブ１４から外れることが防止される。
【００５４】
チューブ１４からフィルタ装置１３を外す場合、帯状部５１がチューブ１４の第１の端部４５を締め付ける力を緩めるため、大片部５２と小片部５３とが互いに近づけられる。大片部５２と小片部５３とを互いに近づけると、粘着テープ６０の脆弱部６３が破れる。これにより、帯状部５１がチューブ１４の第１の端部４５を締め付ける力が緩められたか否かが判別可能になる。
【００５５】
帯状部５１がチューブ１４の第１の端部４５を締め付ける力が緩められたか否かは、粘着テープ６０の脆弱部６３が破れたか否かによって判別できる。したがって、安価な部材によって帯状部５１がチューブ１４の第１の端部４５を締め付ける力が緩められたか否かが判別できる。
【００５６】
次に、図７および図８を参照して、インクジェットプリンタ１の第２の実施の形態について説明する。なお、第２の実施形態において、第１の実施形態のインクジェットプリンタ１と同一の機能を有する構成部分には同一の参照符号を付す。さらに、当該構成部分については、その説明を一部または全て省略することがある。
【００５７】
図７は、第２の実施形態のバンド１５を示す斜視図である。図７において、チューブ１４は二点鎖線で示されている。第２の実施形態において、大片部５２は第２の片部の一例である。第２の実施形態において、小片部５３は第１の片部の一例である。
【００５８】
図７に示すように、バンド１５の帯状部５１と小片部５３とに亘って、接着剤７０が塗布されている。接着剤７０は、履歴判別具の一例である。接着剤７０は、耐インク製を有し、例えば時間の経過によって硬化するエポキシ系接着剤である。なお、接着剤７０は他の種類の接着剤でも良い。
【００５９】
接着剤７０は、スリット５５に掛け渡されるように塗布されている。接着剤７０は、帯状部５１と小片部５３とに付着した状態で硬化されている。接着剤７０と帯状部５１との接着面積は、接着剤７０と小片部５３との接着面積よりも大きい。
【００６０】
図８は、接着剤７０が剥がれた状態のバンド１５を示す断面図である。大片部５２と小片部５３とを互いに近づけると、小片部５３と帯状部５１とによって、接着剤７０が引っ張られる。図８に示すように、引っ張られた接着剤７０は、小片部５３から剥がれる。剥がれることは、破壊されることの一例である。図８において、接着剤７０が小片部５３に付着していた個所７０ａを太線で示す。
【００６１】
このように、接着剤７０がバンド１５に塗布された後、大片部５２と小片部５３とを互いに近づけると、接着剤７０が剥がれる。したがって、帯状部５１がチューブ１４の第１の端部４５を締め付ける力が緩められたか否かが判別可能になる。
【００６２】
前記構成のインクジェットプリンタ１によれば、帯状部５１がチューブ１４の第１の端部４５を締め付ける力が緩められたか否かは、接着剤７０が小片部５３から剥がれたか否かによって判別できる。したがって、安価な部材によって帯状部５１がチューブ１４の第１の端部４５を締め付ける力が緩められたか否かが判別できる。
【００６３】
なお、大片部５２と小片部５３とを互いに近づけた際に、接着剤７０が割れることにより、接着剤７０の一部が小片部５３に付着したまま残っても良い。この場合、帯状部５１がチューブ１４の第１の端部４５を締め付ける力が緩められたか否かは、接着剤７０が割れたか否かによって判別できる。
【００６４】
図７において、接着剤７０はバンド１５の帯状部５１と小片部５３とに亘って一様に塗布されているが、本発明はこれに限らない。例えば、接着剤７０に割れ易い部分を形成しても良い。
【００６５】
以上述べた少なくとも一つの実施形態のインクジェットヘッドによれば、バンドの帯状部がチューブを締め付ける力を緩めるために前記バンドの第１の片部と第２の片部とを互いに近づけると、履歴判別具が破壊される。これにより、前記バンドが緩められたか否かが判別できる。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
２…インクジェットヘッド、１１…ヘッド本体、１３…フィルタ装置、１４…チューブ、１５…バンド、２５…圧力室、２６…オリフィス、３７…フィルタメディア、４１…流入管、４２…流出管、４５…第１の端部、４６…第２の端部、５１…帯状部、５１ａ…一方の端部、５１ｂ…他方の端部、５２…第１の片部、５３…第２の片部、６０…粘着テープ、６１…第１の貼付部、６２…第２の貼付部、６３…脆弱部、７０…接着剤。
【図１】
0005464563.tif 000002
【図２】
0005464563.tif 000003
【図３】
0005464563.tif 000004
【図４】
0005464563.tif 000005
【図５】
0005464563.tif 000006
【図６】
0005464563.tif 000007
【図７】
0005464563.tif 000008
【図８】
0005464563.tif 000009